(57)【要約】【課題】  ユーザ及び電子ペーパーに応じたコンテンツ配信を実現することで、ユーザが閲覧するコンテンツの木目細かな管理を行う。【解決手段】  ユーザが電子ペーパーＥＰを取り出すと、指紋センサ１０によりユーザＩＤが電子ペーパーＥＰに取得され、コンテンツ取得制御部２３がユーザＩＤと媒体ＩＤを配信管理装置３０へ送信する。配信管理装置３０は、ユーザＩＤと媒体ＩＤとに基づいて、コンテンツ決定部３４が配信コンテンツのＩＤを決定してコンテンツ配信装置４０へ送信し、コンテンツ配信装置４０は、コンテンツＩＤに基づいて、コンテンツ配信処理部４２が該当するコンテンツデータ４３を送信元の電子ペーパーＥＰへ送信し、電子ペーパーＥＰは、コンテンツデータを受信して、コンテンツ取得制御部２３が当該コンテンツ画像を表示部２に表示保持する。【選択図】  図１
2006041801.tif 000002
【特許請求の範囲】
【請求項１】
コンテンツ画像を無電源状態で表示保持する表示部を有した表示記録媒体と、当該表示記録媒体へのコンテンツ配信を管理する配信管理装置と、を備えたコンテンツ配信システムであって、
前記表示記録媒体は、データ通信を行う通信部と、コンテンツ画像を無電源状態で表示保持する表示部と、コンテンツデータに基づいて前記表示部にコンテンツ画像を書き込む書き込み部と、前記通信部により当該表示記録媒体を特定する識別情報を送信してコンテンツデータを取得する処理を行うコンテンツ取得制御部と、を有し、
前記配信管理装置は、データ通信を行う通信部と、前記表示記録媒体から受信した識別情報に基づいて当該表示記録媒体へ配信するコンテンツデータを決定するコンテンツ決定部と、を有することを特徴とするコンテンツ配信システム。
【請求項２】
請求項１に記載のコンテンツ配信システムにおいて、
前記表示記録媒体は、当該表示記録媒体を使用するユーザを特定する識別情報を取得するユーザ情報取得部を更に有し、
前記コンテンツ取得制御部は、前記通信部により当該表示記録媒体を特定する識別情報とユーザを特定する識別情報とを送信してコンテンツデータを取得する処理を行い、
前記コンテンツ決定部は、前記表示記録媒体から受信した表示記録媒体を特定する識別情報とユーザを特定する識別情報とに基づいて当該表示記録媒体へ配信するコンテンツデータを決定することを特徴とするコンテンツ配信システム。
【請求項３】
請求項２に記載のコンテンツ配信システムにおいて、
前記コンテンツ決定部は、前記表示記録媒体を特定する識別情報とユーザを特定する識別情報とコンテンツを対応付けたテーブルを有し、当該テーブルを参照して前記表示記録媒体を特定する識別情報とユーザを特定する識別情報とに基づいて配信するコンテンツデータを決定することを特徴とするコンテンツ配信システム。
【請求項４】
請求項２に記載のコンテンツ配信システムにおいて、
前記コンテンツ決定部は、前記表示記録媒体を特定する識別情報とユーザを特定する識別情報とから配信すべきコンテンツを導き出すルールを記述したテーブルを有し、当該ルールに従って前記表示記録媒体を特定する識別情報とユーザを特定する識別情報とに基づいて配信するコンテンツデータを決定することを特徴とするコンテンツ配信システム。
【請求項５】
請求項１乃至請求項４のいずれか１項に記載のコンテンツ配信システムにおいて、
前記コンテンツ決定部により決定されたコンテンツデータを前記表示記録媒体へ配信するコンテンツ配信装置を備えていることを特徴とするコンテンツ配信システム。
【請求項６】
請求項５に記載のコンテンツ配信システムにおいて、
前記コンテンツ配信装置は、前記コンテンツ決定部による決定に従って、コンテンツデータを生成して前記表示記録媒体へ配信することを特徴とするコンテンツ配信システム。
【請求項７】
請求項２乃至請求項６のいずれか１項に記載のコンテンツ配信システムにおいて、
前記表示記録媒体のユーザ情報取得部は指紋センサであり、指紋に基づいて使用するユーザを特定する識別情報を取得することを特徴とするコンテンツ配信システム。
【請求項８】
請求項１乃至請求項７のいずれか１項に記載のコンテンツ配信システムにおいて、
前記表示記録媒体を特定する識別情報毎に分けて複数の表示記録媒体を保持するラックを備えていることを特徴とするコンテンツ配信システム。
【請求項９】
データ通信を行う通信部と、コンテンツ画像を無電源状態で表示保持する表示部と、コンテンツデータに基づいて前記表示部にコンテンツ画像を書き込む書き込み部と、前記通信部により当該表示記録媒体を特定する識別情報を送信してコンテンツデータを取得する処理を行うコンテンツ取得制御部と、を有する表示記録媒体へのコンテンツ配信を管理する配信管理装置であって、
データ通信を行う通信部と、前記表示記録媒体から受信した識別情報に基づいて当該表示記録媒体へ配信するコンテンツデータを決定するコンテンツ決定部と、を有することを特徴とする配信管理装置。
【請求項１０】
データ通信を行う通信部と、コンテンツ画像を無電源状態で表示保持する表示部と、コンテンツデータに基づいて前記表示部にコンテンツ画像を書き込む書き込み部と、当該表示記録媒体を使用するユーザを特定する識別情報を取得するユーザ情報取得部と、前記通信部により当該表示記録媒体を特定する識別情報とユーザを特定する識別情報とを送信してコンテンツデータを取得する処理を行うコンテンツ取得制御部と、を有する表示記録媒体へのコンテンツ配信を管理する配信管理装置であって、
データ通信を行う通信部と、前記表示記録媒体から受信した表示記録媒体を特定する識別情報とユーザを特定する識別情報とに基づいて当該表示記録媒体へ配信するコンテンツデータを決定するコンテンツ決定部と、を有することを特徴とする配信管理装置。
【請求項１１】
データ通信を行う通信部と、表示記録媒体から受信した当該表示記録媒体を特定する識別情報に基づいて当該表示記録媒体へ配信するコンテンツデータを決定するコンテンツ決定部とを有する配信管理装置の管理下で、配信されたコンテンツデータを受信してコンテンツ画像を表示する表示記憶媒体であって、
データ通信を行う通信部と、コンテンツ画像を無電源状態で表示保持する表示部と、コンテンツデータに基づいて前記表示部にコンテンツ画像を書き込む書き込み部と、前記通信部により当該表示記録媒体を特定する識別情報を送信してコンテンツデータを取得する処理を行うコンテンツ取得制御部と、を有することを特徴とする表示記憶媒体。
【請求項１２】
データ通信を行う通信部と、表示記録媒体から受信した表示記録媒体を特定する識別情報とユーザを特定する識別情報とに基づいて当該表示記録媒体へ配信するコンテンツデータを決定するコンテンツ決定部とを有する配信管理装置の管理下で、配信されたコンテンツデータを受信してコンテンツ画像を表示する表示記憶媒体であって、
データ通信を行う通信部と、コンテンツ画像を無電源状態で表示保持する表示部と、コンテンツデータに基づいて前記表示部にコンテンツ画像を書き込む書き込み部と、当該表示記録媒体を使用するユーザを特定する識別情報を取得するユーザ情報取得部と、前記通信部により当該表示記録媒体を特定する識別情報とユーザを特定する識別情報とを送信してコンテンツデータを取得する処理を行うコンテンツ取得制御部と、を有することを特徴とする表示記録媒体。
【請求項１３】
データ通信を行う通信部と、コンテンツ画像を無電源状態で表示保持する表示部と、コンテンツデータに基づいて前記表示部にコンテンツ画像を書き込む書き込み部と、前記通信部により当該表示記録媒体を特定する識別情報を送信してコンテンツデータを取得する処理を行うコンテンツ取得制御部とを有する表示記憶媒体を用いて、コンテンツを配信する方法であって、
配信管理装置が、前記表示記憶媒体から受信した当該表示記録媒体を特定する識別情報に基づいて当該表示記録媒体へ配信するコンテンツデータを決定し、
コンテンツ配信装置が、前記決定されたコンテンツデータを前記表示記憶媒体へ送信することを特徴とするコンテンツ配信方法。
【請求項１４】
データ通信を行う通信部と、コンテンツ画像を無電源状態で表示保持する表示部と、コンテンツデータに基づいて前記表示部にコンテンツ画像を書き込む書き込み部と、前記通信部により当該表示記録媒体を特定する識別情報とユーザを特定する識別情報とを送信してコンテンツデータを取得する処理を行うコンテンツ取得制御部とを有する表示記録媒体を用いて、コンテンツを配信する方法であって、
配信管理装置が、前記表示記憶媒体から受信した当該表示記録媒体を特定する識別情報とユーザを特定する識別情報とに基づいて当該表示記録媒体へ配信するコンテンツデータを決定し、
コンテンツ配信装置が、前記決定されたコンテンツデータを前記表示記憶媒体へ送信することを特徴とするコンテンツ配信方法。
【発明の詳細な説明】
【技術分野】
【０００１】
本発明は、受信したコンテンツデータに基づいて自己で表示部にコンテンツ画像を書き込んで無電源状態で表示保持する機能を有する表示記録媒体に関し、特に、当該表示記憶媒体を特定する情報や当該表示記憶媒体を使用するユーザを特定する情報に基づいて当該表示記憶媒体へ配信するコンテンツを決定する技術に関する。
【背景技術】
【０００２】
コンテンツには、ネットワークから取得したテキストや画像と言った情報の他に、文書処理装置で作成された文書等と言った種々な情報があるが、このようなコンテンツは、当該コンテンツ画像をパーソナルコンピュータのディスプレイ画面に表示する、或いは、当該コンテンツ画像をプリンタによって紙媒体（用紙）に印刷すると言った方法でユーザの閲覧に供されている。
また、例えば、雑誌やニュースなどのコンテンツはネットワーク環境において配信先のユーザを特定して配信され、閲覧料金の支払等により閲覧権限が与えられているユーザに対して所定のコンテンツが配信されるようにしている。
【０００３】
このような配信されたコンテンツは一般にパーソナルコンピュータにより受信されてディスプレイ画面に表示されるが、このコンテンツ画像を用紙に印刷して閲覧することも行われている。
コンテンツ画像を用紙に印刷して表示する方法は、コンテンツ画像をディスプレイ画面に表示する方法に較べて、何時でも何処にでも容易に持ち運びすることができ、無電源の状態でコンテンツ画像を閲覧することができ、しかも、複数枚の用紙に複数のコンテンツを印刷することにより複数のコンテンツ画像を同時に閲覧することができるという利点がある。
【０００４】
近年では、紙媒体である用紙にとって代わることが可能なコンテンツ画像閲覧のための表示記録媒体として、コンテンツ画像を表示部に無電源状態で表示保持することができ且つ用紙の如く柔軟な薄型で持ち運び自在である電子ペーパーが開発されている。
電子ペーパーは、無電源状態で画像を表示保持する表示部を有した表示装置であり、電子データに基づいて自己でコンテンツ画像を表示部に書き込む機能を有する自己書き込み型の電子ペーパーがある。
このような電子ペーパーは、用紙と異なって表示部に表示保持した画像を消去したり上書きすることが可能であり、表示保持するコンテンツ画像を更新したり消去して、繰り返し使用することができるので紙資源の節約等の観点からも利用促進が望まれている。
【０００５】
ここで、電子ペーパーに関して、電子ペーパーを電子ペーパーファイルに着脱可能とし、電子ペーパーファイルが装着された電子ペーパーに対して表示用データを書き込む発明が提案されている（特許文献１参照。）。
また、電子ブックと言った電子表示装置において、表示部に表示可能なコンテンツを一覧表示する場合に、コンテンツの数が多いときには各コンテンツを小さなサムネイル画像化して表示する発明が提案されている（特許文献２参照。）。
また、文書の作成や利用の過程における様々なできごとを管理し、文書の利用を通じてのコミュニケーションを支援する発明が提案されている（特許文献３参照。）。
【特許文献１】特開２００１―３１２２２７号公報
【特許文献２】特開２００３―２７１６６４号公報
【特許文献３】特開平７―１２１５２９号公報
【発明の開示】
【発明が解決しようとする課題】
【０００６】
従来では、ユーザに対応付けてコンテンツを配信する方法が行われているが、コンテンツ閲覧の態様によっては、十分な配信管理を行うことができないという課題があった。
例えば、用紙と同様に多数の表示記録媒体（電子ペーパー）がコンテンツ閲覧媒体として用意されている態様では、同じユーザが利用する各表示記録媒体には同じコンテンツが表示されるだけであり、しかも、複数のコンテンツ画像を同時に閲覧することを可能ならしめるという表示記録媒体の利点を損なってしまう。また、例えば、複数の表示記録媒体を用意して、それぞれの表示記録媒体に異なるコンテンツを配信して表示させようとする場合、ユーザとの依存性でコンテンツを配信する方法では、同じユーザが利用する各表示記録媒体には同じコンテンツが表示されることとなってしまう。
【０００７】
本発明は、上記従来の事情に鑑みなされたもので、同じユーザでも異なる表示記録媒体により異なるコンテンツを閲覧することができる環境を提供することを目的としている。
また、本発明は、ユーザ及び表示記録媒体に応じたコンテンツ配信を実現することにより、ユーザが閲覧するコンテンツの木目細かな管理を実現することを目的としている。
【課題を解決するための手段】
【０００８】
本発明は、例えば、コンテンツ画像を無電源状態で表示保持する表示部を有した表示記憶媒体と、当該表示記録媒体へのコンテンツ配信を管理する配信管理装置とを備えたコンテンツ配信システムとして実施される。
なお、本発明では、典型的には後述するような自己書き込み型電子ペーパーを用いるが、本発明に必要な各機能を有する薄型の表示記録媒体であれば本発明に適用することができる。
【０００９】
そして、表示記録媒体には、データ通信を行う通信部と、コンテンツ画像を無電源状態で表示保持する表示部と、コンテンツデータに基づいて表示部にコンテンツ画像を書き込む書き込み部と、通信部により当該表示記録媒体を特定する識別情報（媒体ＩＤ等）を送信してコンテンツデータを取得する処理を行うコンテンツ取得制御部とを設け、配信管理装置には、データ通信を行う通信部と、表示記録媒体から受信した識別情報に基づいて当該表示記録媒体へ配信するコンテンツデータを決定するコンテンツ決定部とを設け、これにより、配信管理装置が、表示記憶媒体から受信した当該表示記録媒体を特定する識別情報に基づいて当該表示記録媒体へ配信するコンテンツデータを決定する。そして、この決定に応じて、コンテンツデータが表示記憶媒体へ送信されて表示される。
【００１０】
したがって、識別情報（媒体ＩＤ等）が異なる表示記録媒体毎に異なるコンテンツが配信されて表示され、例えば、雑誌やニュースと言った複数種類の読み物を納めたマガジンラックを表示記録媒体を用いて実現することができ、これらに表示するコンテンツ内容の更新も配信管理により容易に行うことが可能となる。
【００１１】
また、本発明では、表示記録媒体に当該表示記録媒体を使用するユーザを特定する識別情報を取得するユーザ情報取得部（指紋センサ、ユーザ操作ボタン等）を更に設け、コンテンツ取得制御部が通信部により表示記録媒体を特定する識別情報（媒体ＩＤ等）とユーザを特定する識別情報（ユーザＩＤ等）とを送信してコンテンツデータを取得する処理を行い、また、コンテンツ決定部が表示記録媒体から受信した表示記録媒体を特定する識別情報とユーザを特定する識別情報とに基づいて当該表示記録媒体へ配信するコンテンツデータを決定するようにしてもよい。
【００１２】
したがって、表示記録媒体の識別情報とユーザの識別情報とに基づいて決定されたコンテンツが表示記録媒体に送信されて表示され、例えば、上記マガジンラックであれば、更に、同じ媒体ＩＤを有する同じ棚の表示記録媒体を複数のユーザがそれぞれ利用した場合、ユーザ毎に異なるコンテンツを閲覧させることができる。
【００１３】
なお、本発明では、ユーザは個人である他、複数のユーザのグループであってもよく、例えば、ユーザグループに依存させたコンテンツ配信をするようにしてもよい。また、同じ場所（例えばマガジンラックの同じ棚）に設置される複数の表示記録媒体には同じ識別情報を付与するようにしてもよく、このように場合には、当該指示別情報は場所を特定する情報とも言える。
また、本発明では、コンテンツはページやファイル単位である他、表示記録媒体やユーザに応じてページ内に含まれるコンテンツの部分を組み合わせて生成したものであってもよく、例えば、同じ雑誌のコンテンツであっても、表示記録媒体やユーザに応じてページ内に含まれる内容が異なるようにしてもよい。
【発明の効果】
【００１４】
本発明によると、表示記憶媒体から受信した当該表示記録媒体を特定する識別情報に基づいて当該表示記録媒体へ配信するコンテンツデータを決定するようにしたため、同じユーザでも異なる表示記録媒体により異なるコンテンツを閲覧することができる環境が実現される。
また、本発明によると、表示記憶媒体から受信した当該表示記録媒体を特定する識別情報及びユーザを特定する識別情報に基づいて当該表示記録媒体へ配信するコンテンツデータを決定するようにしたため、ユーザ及び表示記録媒体に応じたコンテンツ配信を実現することができ、ユーザが閲覧するコンテンツの木目細かな管理を行うことができる。
【発明を実施するための最良の形態】
【００１５】
本発明を一実施例に基づいて具体的に説明する。
まず、本発明に利用される表示記録媒体の一例について、基本的な構成を図６〜図９を参照して説明する。
図６〜図８に示す表示記録媒体は自己書き込み型電子ペーパーと称せられる媒体であり、電子ペーパーと称せられるように紙の様に薄型の装置である。
【００１６】
図６（ａ）には自己書き込み型電子ペーパーＥＰを正面視して示し、同図（ｂ）には当該自己書き込み型電子ペーパーＥＰを側面視で示してある。図示の電子ペーパーＥＰはコンテンツ画像を表示保持する表示部２と本発明に係る通信や画像書き込み処理等の種々な処理を司る処理部３とを有しており、同図（ａ）には処理部３に内蔵されている諸機能部も表してある。
電子ペーパーＥＰは、例えばＡ４版の用紙のような大きさのフレキシブルな薄型表示装置であり、大部分の面積を占める表示部２の一片に処理部３が設けられている。なお、表示部２の大きさは用途に応じた大きさのものとされ、表示部２と処理部３とを着脱可能とした構成とすることもできる。
【００１７】
処理部３には、表示部２を駆動するドライバ４、外部とデータ通信するための通信部５、電子データを読み書き自在に保持するメモリ６、本発明に係る種々な処理を司るプロセッサ７、通信部５やプロセッサ７等の駆動電力を供給するバッテリ８、表示部２への画像書き込み指示等のユーザ操作入力を受け付けるボタン等の操作部９が設けられている。なお、図６に示す例では、ユーザを特定するための指紋センサ１０が設けられているが、ユーザが自らの識別情報（ユーザＩＤ）を操作部９から入力するようにすれば、センサ１０は必ずしも設ける必要はない。
【００１８】
電子ペーパーＥＰの通信部５はデータを無線通信する機能を有しており、後述するように電子データ（コンテンツデータ、ユーザ識別情報、媒体識別情報等）を送受信することができる。
自己書き込み型電子ペーパーＥＰは、メモリ６に保持したコンテンツデータに基づいてドライバ４が表示部２に画像を書き込むことことができ、ドライバ４の駆動電力を除去しても表示部２にコンテンツ画像を表示状態で保持し続ける機能を有している。
【００１９】
自己書き込み型電子ペーパーＥＰは、表示部２の断面構造を表す図８に示すように、複写機にトナーとして利用されている微細な着色粒子（図示の例では、白色粒子１１と黒色粒子１２）を少なくとも表面側が透明な表裏一対の電極１３間に封入し、これを少なくとも表面側が透明な表裏一対のフィルム基板１４で挟んだ構造となっている。着色粒子１１、１２が自由に移動できるように電極層１３間は空気層となっており、また、マトリックス状の電極層１３には着色粒子１１、１２との接触を防止する絶縁層１５が設けられている。なお、カラーフィルターを用いることにより、簡単な構造でカラー表示を実現することも可能である。
【００２０】
そして、自己書き込み型電子ペーパーＥＰは、表示部２の動作原理を表す図７に示すように、電極１３に電圧を印加していない状態（但し、電極１３は前回の駆動時の極性に帯電している）では、負（マイナス）に帯電した白色粒子１１は裏面側に溜まる一方、正（プラス）に帯電した黒色粒子１２は表面側に溜まり、表示部２を表面側から目視すると表示部２は黒色な状態となる。そして、メモリ６に記憶されたデータに基づいてドライバ４が動作して表示する画像情報に応じたマトリックスの所要部の電極極性を反転させると、白色粒子１１と黒色粒子１２との位置関係が入れ替わって、表示部２に白色粒子１１と黒色粒子２とのコントラストによるコンテンツ画像が表示される。なお、異なるデータに基づいてドライバ４を動作させることにより、白色粒子１１と黒色粒子１２とのコントラストにより表示部２に表示される画像情報を切り換えることができ、幾度も再使用することができる。
【００２１】
したがって、自己書き込み型電子ペーパーＥＰは、紙のように薄く柔軟である性質に加えて、表示部２に表示した画像情報を無電源保持する性質があるので、あたかも用紙の如く用いることができる携帯可能な表示記録媒体である。
更に、本例の自己書き込み型電子ペーパーＥＰは、無線通信機能、メモリ機能、データ処理機能等を備えるので、後述するように本発明に係るコンテンツ画像の表示に供することができる。
なお、自己書き込み型電子ペーパーＥＰに画像情報を表示保持させるには、画像データを電子ペーパーＥＰに受信させて表示部２に書き込み処理させればよい。
【００２２】
ここで、電子ペーパーＥＰは、例えば図９に示すように、通信部５、プロセッサ７、メモリ６等といった処理部３の機能部を選択的に纏めたクリップ式の装置を構成し、当該クリップ式の処理部装置３を表示部２に着脱可能に接続して設けるようにしてもよい。なお、このようなクリップ式の処理部装置３とした場合等において、電子ペーパーＥＰに備えるバッテリは外部の装置からの起電力を保持するコンデンサとするようにしてもよい。
また、電子ペーパーＥＰの表示部２としては、強誘電液晶に代表されるメモリ性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリ駆動の薄型の液晶やＥＬ素子を用いてもよい。
【００２３】
次に、表示媒体媒体として自己書き込み型電子ペーパーＥＰを用いた本発明の実施例に係るコンテンツ配信システムを説明する。
図１には、本例に係るシステムを構成する自己書き込み型電子ペーパーＥＰ、コンテンツ配信を管理する配信管理装置３０、コンテンツデータの配信を行うコンテンツ配信装置４０を示してある。
【００２４】
電子ペーパーＥＰは、表示部２、ドライバにより構成される書き込み部４、無線通信部５、指紋センサ１０を有しており、更に、媒体ＩＤ記憶部２１、ユーザＩＤ変換部２２、コンテンツ取得制御部２３を有している。
媒体ＩＤ記憶部２１はメモリ６に当該電子ペーパーＥＰを特定する媒体ＩＤを予め格納して構成されている。
【００２５】
ユーザＩＤ変換部２２はプロセッサ７により構成されており、指紋センサ１０により取得されたユーザの指紋情報をユーザＩＤに変換する。なお、メモリ６には指紋情報をユーザＩＤに変換するための変換テーブル２４が予め記憶されており、ユーザＩＤ変換部２２は変換テーブル２４を参照してユーザＩＤへの変換を行う。
コンテンツ取得制御部２３はプロセッサ７により構成されており、コンテンツデータを取得する制御処理を行う。すなわち、コンテンツ取得制御部２３は媒体ＩＤ記憶部２１に記憶された媒体ＩＤ及びユーザＩＤ変換部２２からのユーザＩＤを通信部５から配信管理装置３０へ無線送信し、また、コンテンツ配信装置４０から通信部５により無線受信したコンテンツデータに基づいて当該コンテンツ画像を書き込み部４により表示部２に書き込ませる。
【００２６】
ここで、本例では図２に示すような複数（図示では１２個）のフォルダ棚５１を備えたラック５０が用いられ、各フォルダ棚５１にそれぞれ異なる媒体ＩＤが設定された電子ペーパーＥＰが設置される。
このようなラック５０は例えば多数のユーザが利用する待合室やロビー等に設定され、各フォルダ棚５１に置かれた電子ペーパーＥＰはフォルダ棚５１毎に種別されたコンテンツ画像（図示ではＡ〜Ｌ）を表示保持して、ユーザのコンテンツ閲覧に供される。
【００２７】
配信管理装置３０は、無線によりデータ通信を行う通信部３１、媒体ＩＤと配信するコンテンツの識別情報（コンテンツＩＤ）とを予め対応付けて記述した媒体ＩＤテーブル３２、ユーザＩＤと配信可能なコンテンツのコンテンツＩＤとを予め対応付けて記述したユーザＩＤテーブル３３、電子ペーパーＥＰから受信した媒体ＩＤ及びユーザＩＤに基づいて当該電子ペーパーＥＰに配信するコンテンツを決定するコンテンツ決定部３４を有している。
すなわち、配信管理装置３０は、通信部３１で電子ペーパーＥＰから媒体ＩＤ及びユーザＩＤを受信すると、コンテンツ決定部３４が、当該媒体ＩＤ及びユーザＩＤに基づいて媒体ＩＤテーブル３２及びユーザＩＤテーブル３３を参照して、当該電子ペーパーＥＰに配信すべきコンテンツを決定し、当該コンテンツを識別する情報（コンテンツＩＤ）を配信先の電子ペーパーＥＰを媒体ＩＤで特定して通信部３１からコンテンツ配信装置４０へ無線送信する。
【００２８】
ここで、図示の例では、コンテンツ決定部３４が媒体ＩＤテーブル３２及びユーザＩＤテーブル３３を参照して配信すべきコンテンツを決定するようにしているが、これらテーブル３２、３３に代えて、配信管理装置３０に例えば図５に示すような配信ルールを予め記述したルールテーブルを設けてもよい。
この配信ルールテーブルには、ユーザＩＤと媒体ＩＤとの組み合わせに対応して配信すべきコンテンツのコンテンツＩＤが記述されており、コンテンツ決定部３４が、電子ペーパーＥＰから受信した媒体ＩＤ及びユーザＩＤに基づいて配信ルールに従って当該電子ペーパーＥＰに配信すべきコンテンツを決定するようにしてもよい。
【００２９】
コンテンツ配信装置４０は、無線によりデータ通信を行う通信部４１、配信管理装置３０で決定されたコンテンツデータを媒体ＩＤで特定される電子ペーパーＥＰへ無線送信するコンテンツ配信処理部４２、図３（ｃ）に示すようにコンテンツＩＤに対応付けて多数のコンテンツデータを格納するコンテンツデータベース４３を有している。
すなわち、コンテンツ配信装置４０は、通信部４１で配信管理装置３０から配信先の電子ペーパーＥＰが特定されたコンテンツＩＤを受信すると、コンテンツ配信処理部４２がコンテンツデータベース４３から該当するコンテンツデータを取得して、当該コンテンツデータを通信部４１から配信先の電子ペーパーＥＰへ無線送信する。
【００３０】
ここで、本例のコンテンツ配信処理部４２はコンテンツデータに基づいて配信用のコンテンツデータを生成する機能を有しており、例えば、後述するように、配信管理装置３０から受信したコンテンツＩＤがコンテンツページの部分についての指定を含む場合には、当該指定にしたがった内容に配信用のコンテンツデータを生成する。
なお、コンテンツデータベース４３はネットワーク上のコンテンツサーバであってもよく、この場合には、コンテンツ配信処理部４２はネットワークを介してコンテンツサーバにアクセスして、コンテンツＩＤに該当するコンテンツデータを取得する。
また、配信管理装置３０とコンテンツ配信装置４０とは一体の装置として構成してもよい。
【００３１】
図３（ａ）には媒体ＩＤテーブル３２の一例を示し、図３（ｂ）にはユーザＩＤテーブル３３の一例を示してある。
媒体ＩＤテーブル３２には媒体ＩＤに対応付けて配信するコンテンツのコンテンツＩＤが予め記述されており、例えば図２に示す例で説明すると、ラック５０の最上段の左隅の棚５１に置かれる電子ペーパーＥＰの媒体ＩＤ（Ｐ１）にはコンテンツＡを示すコンテンツＩＤが対応付けて記述され、その隣の棚５１に置かれる電子ペーパーＥＰの媒体ＩＤ（Ｐ２）にはコンテンツＢを示すコンテンツＩＤが対応付けて記述されている。すなわち、棚５１毎にそこに置かれる電子ペーパーＥＰが表示保持するコンテンツのコンテンツＩＤが設定されている。
【００３２】
ユーザＩＤテーブル３３にはユーザＩＤに対応付けて配信可能な（すなわち、閲覧が許可されている）コンテンツのコンテンツＩＤが予め記述されており、例えば、ユーザＩＤがＭ１で特定されるユーザにはコンテンツＡとＣとが配信可能であり、ユーザＩＤがＭ２で特定されるユーザにはコンテンツＡとＢとが配信可能である。
【００３３】
ここで、図３（ｂ）に例示するように、コンテンツＡを特定するコンテンツＩＤとしてＡ（ａ，ｂ，ｃ，ｄ）とＡ（ａ，ｄ，ｅ，ｆ，ｇ）と言った形式のコンテンツＩＤが用いられているが、これはコンテンツＡに含まれるコンテンツ部分（ａ〜ｇ）を取捨選択した指定を含むコンテンツＩＤであり、当該形式のコンテンツＩＤに応じてコンテンツ配信処理部４２は指定された種類のコンテンツについて指定されたコンテンツ部分を含むコンテンツデータを生成して配信する。
【００３４】
具体的には、例えば、コンテンツＩＤがＡ（ａ，ｂ，ｃ，ｄ）である場合には、図４（ａ）に示すようにコンテンツＡについて部分ａ，ｂ，ｃ，ｄを含んだコンテンツデータが作成されて配信先の電子ペーパーＥＰの表示部２に表示保持され、コンテンツＩＤがＡ（ａ，ｄ，ｅ，ｆ，ｇ）である場合には、図４（ｂ）に示すようにコンテンツＡについて部分ａ，ｄ，ｅ，ｆ，ｇを含んだコンテンツデータが作成されて配信先の電子ペーパーＥＰの表示部２に表示保持される。
したがって、雑誌名やニュースソース等といったコンテンツの種類をユーザ毎に管理することができるばかりではなく、同じ種類のコンテンツについてそこで閲覧できる部分（内容）をユーザ毎に管理することができる。
【００３５】
上記構成のシステムによると、ラック５０に備えられた電子ペーパーでコンテンツを閲覧しようとするユーザは、コンテンツの種類に応じた棚５１から電子ペーパーＥＰを取り出す。この際に、ユーザが指紋センサ１０に触れることによりユーザＩＤが当該電子ペーパーＥＰのコンテンツ取得制御部２３に入力され、当該ユーザＩＤと媒体メモリ２１の媒体ＩＤとが当該電子ペーパーＥＰから配信管理装置３０へ無線送信される。
例えば、ユーザＩＤがＭ１のユーザがラック５０の最上段の左隅の棚（コンテンツＡ用の棚）５１から電子ペーパーＥＰを取り出すと、当該ユーザのユーザＩＤ（Ｍ１）と媒体ＩＤ（Ｐ１）とが配信管理装置３０へ無線送信される。
【００３６】
配信管理装置３０では、電子ペーパーＥＰからのユーザＩＤと媒体ＩＤを無線受信すると、ユーザＩＤと媒体ＩＤとに基づいて、コンテンツ決定部３４が送信元の電子ペーパーＥＰへ配信すべきコンテンツのコンテンツＩＤを決定して、当該コンテンツＩＤをコンテンツ配信装置４０へ無線送信する。
例えば、ユーザＩＤとしてＭ１、媒体ＩＤとしてＰ１を受信すると、コンテンツＩＤとしてＡ（ａ，ｂ，ｃ，ｄ）が送信され、また、ユーザＩＤとしてＭ２、媒体ＩＤとしてＰ２を受信すると、コンテンツＩＤとしてＢが送信される。
なお、ユーザＩＤテーブル３３にユーザＩＤに該当する配信可能なコンテンツＩＤがない場合には、コンテンツデータの配信はなされない。
【００３７】
コンテンツ配信装置４０では、配信管理装置３０からのコンテンツＩＤを無線受信すると、コンテンツ配信処理部４２が、当該コンテンツＩＤに該当するコンテンツデータをコンテンツデータベース４３から取得して、当該コンテンツデータを送信元の電子ペーパーＥＰへ無線送信する。
電子ペーパーＥＰでは、コンテンツ配信装置４０からのコンテンツデータを通信部５で無線受信すると、コンテンツ取得制御部２３が、当該コンテンツデータを書き込み部４へ入力して、表示部２にコンテンツ画像を書き込んで表示保持する。
例えば、コンテンツＩＤ：Ａ（ａ，ｂ，ｃ，ｄ）に対応するコンテンツデータを受信した場合には表示部２に図４（ａ）に示すような内容でコンテンツＡが画像表示され、コンテンツＩＤ：Ｂに対応するコンテンツデータを受信した場合には表示部２にコンテンツＢが画像表示される。
【００３８】
ここで、上記の例では、媒体ＩＤとユーザＩＤとに基づいて電子ペーパーＥＰへ配信するコンテンツを決定するようにしたが、本発明では、ユーザＩＤを用いずに、媒体ＩＤに基づいて電子ペーパーＥＰへ配信するコンテンツを決定するようにしてもよい。この場合には、ユーザＩＤの係るテーブルや処理手段を省略することができる。
【００３９】
このように媒体ＩＤに基づいて電子ペーパーＥＰへ配信するコンテンツを決定する場合には、ユーザ毎に閲覧することができるコンテンツを設定することはできないが、特定の電子ペーパーＥＰでは特定のコンテンツを閲覧することができるといったように、電子ペーパー毎に閲覧することができるコンテンツを設定することができ、図２に示すようなラック５０では、棚５１毎に電子ペーパーに表示するコンテンツを設定することができる。
なお、ラック５０のように棚５１によって電子ペーパーＥＰが存在する場所が規定される態様では、媒体ＩＤは棚５１毎に設定される場所を示すＩＤということもできるが、本発明では、電子ペーパーＥＰの設置方法に特に限定はない。
【図面の簡単な説明】
【００４０】
【図１】本発明の一実施例に係るコンテンツ配信システムの機能構成を示す図である。
【図２】本発明の一実施例に係る電子ペーパー設置用のラックを示す図である。
【図３】本発明の一実施例に係るテーブル構成を説明する図である。
【図４】本発明の一実施例に係るコンテンツの表示例を示す図である。
【図５】本発明の一実施例に係る配信ルールを説明する図である。
【図６】自己書き換え型電子ペーパーを示す図である。
【図７】自己書き換え換え型電子ペーパーの動作原理を説明する図である。
【図８】自己書き換え型電子ペーパーの構造を説明する図である。
【図９】自己書き換え型電子ペーパーの他の例を示す図である。
【符号の説明】
【００４１】
ＥＰ：電子ペーパー（表示記録媒体）、  ２：表示部、
３：処理部、  ４：ドライバ（書き込み部）、
５：通信部、  ６：メモリ、
７：プロセッサ、  ８：バッテリ、
９：操作部、  １０：指紋センサ、
２１：媒体ＩＤメモリ、  ２２：ユーザＩＤ変換部、
２３：コンテンツ取得制御部、  ３０：配信管理装置、
３１：通信部、  ３２：媒体ＩＤテーブル、
３３：ユーザＩＤテーブル、  ３４：コンテンツ決定部、
４０：コンテンツ配信装置、  ４１：通信部、
４２：コンテンツ配信処理部、  ４３：コンテンツデータベース、
【図１】
2006041801.tif 000003
【図２】
2006041801.tif 000004
【図３】
2006041801.tif 000005
【図４】
2006041801.tif 000006
【図５】
2006041801.tif 000007
【図６】
2006041801.tif 000008
【図７】
2006041801.tif 000009
【図８】
2006041801.tif 000010
【図９】
2006041801.tif 000011